(57)【要約】【課題】不慣れな人でも容易に花を包むことが可能な花用保護部材を提供する。【解決手段】花用保護部材１は、柔軟性のあるポリエチレン等の透明又は半透明のプラスチック製部材から成り、側面部２と２つの端部３を有し、側面部２には複数の空気流通用の孔４が設けられ、端部３にはそれぞれ開放された開口部５が設けられている。そして、載置時は折りたたまれて略平坦な四角形状を成し、花を包む場合（使用時）は、開口部５を開くため略円筒形状を成す。開口部５があるため、取り付け取り外しが容易であり、簡単に花を包むことができ、熟練性の要求から解放される。【選択図】図１
2018113864.tif 000002
【特許請求の範囲】
【請求項１】
花を覆うことによって当該花を保護する筒状の花用保護部材であって、
透明又は半透明で柔軟性のあるプラスチック製部材から成り、
側面部と端部を有し、
前記側面部の少なくとも一部に複数の孔が形成され、
前記端部の少なくとも一方側に開放された開口部が設けられている
ことを特徴とする花用保護部材。
【請求項２】
前記側面部の少なくとも一部に変形可能な保持部材が接合されていることを特徴とする請求項１に記載の花用保護部材。
【請求項３】
前記プラスチック部材がポリエチレンからなることを特徴とする請求項１又は請求項２のいずれか１項に記載の花用保護部材。
【請求項４】
前記プラスチック部材の厚みが、０．０４ｍｍから０．０８ｍｍであることを特徴とする請求項１〜３のいずれか１項に記載の花用保護部材。
【請求項５】
前記プラスチック部材の幅が、２４ｃｍ〜２７ｃｍであることを特徴とする請求項３又は４のいずれか１項に記載の花用保護部材。
【請求項６】
前記孔の大きさが、０．６ｃｍ〜１．０ｃｍであることを特徴とする請求項３〜５のいずれか１項に記載の花用保護部材。
【請求項７】
前記孔の個数が、６個〜１０個であることを特徴とする請求項３〜６のいずれか１項に記載の花用保護部材。
【請求項８】
前記花は、ラン科植物であることを特徴とする請求項１〜７のいずれか１項に記載の花用保護部材。
【請求項９】
前記ラン科植物は胡蝶蘭であることを特徴とする請求項８に記載の花用保護部材。
【発明の詳細な説明】
【技術分野】
【０００１】
本発明は、花を包む花用保護部材に関する。
【背景技術】
【０００２】
花を透明な包装材料で包むことが一般的に知られている（特許文献１参照）。
【０００３】
特許文献１は、鉢植した植物の茎の部分に、所定の色を有する線状部材を介してハート形の札を取り付け、シート状の柔軟な包装材料によりラッピングを施した贈答品であって、受け取り側に感動を与え、贈り側と受け取り側の相互関係をより一層深め得ることが開示されている。
【先行技術文献】
【特許文献】
【０００４】
【特許文献１】実用新案登録第３０９５７９３号公報
【発明の概要】
【発明が解決しようとする課題】
【０００５】
しかしながら、特許文献１では、花をシート状の柔軟な包装材料（例えば透明なプラスチックフィルム）により包んでいるが、ラッピングロール状の包装材料を贈答品である花の大きさに合わせてカットし、花の形状に合わせ花を傷つけないように包むため、熟練性が要求されるという問題点があった。
【０００６】
また、ランなどの高級贈答品では、輸送等の際に花が傷つかないように、花ごとに包装用和紙を取り付けていたが、花ごとに包装用和紙で包む必要があるので時間がかかるという問題点があった。さらに、花を傷つけないように包装用和紙を取り付ける必要があるので、高度な技術が必要であるという問題点があった。
【０００７】
加えて、ランなどの花に包装用和紙を取り付けた場合には、そのままでは花の状態（花の形、色、生育具合等）を確認することができないので、その都度包装用紙を取り外して花の様子を確認する必要があるという問題点があった。
【０００８】
本発明は、上述した事情に鑑み、取り付けた状態でも花の様子を観察することができ、かつ不慣れな人でも容易に花を包むことが可能な花用保護部材を提供することを目的とする。
【課題を解決するための手段】
【０００９】
本発明の発明者は、上述した問題点に関して鋭意研究・開発を続けた結果、以下のような画期的な花用保護部材を見出した。
【００１０】
本発明の第１の態様は、花を覆うことによって花を保護する筒状の花用保護部材であって、透明又は半透明で柔軟性のあるプラスチック製部材から成り、側面部と端部を有し、
側面部の少なくとも一部に複数の孔が形成され、端部の少なくとも一方側に開放された開口部が設けられていることを特徴とする花用保護部材にある。
【００１１】
ここで、「半透明」とは、本発明の花用保護部材を取り付けた状態で、花の形、色、生育具合等を観察ことができる状態をいい、その透明度は特に限定されない。また、「プラスチック」とは、熱か圧力あるいはその両者によって塑性変形させて成形することができる高分子化合物であれば特に限定されず、天然樹脂からなるものであっても、合成樹脂からなるものであってもよい。プラスチックとしては、たとえば二軸延伸ポリプロピレン、ポリプロピレン及びポリエチレン等が挙げられる。
【００１２】
かかる第１の態様では、透明又は半透明であるため、花の色、形、特徴、生育具合（開花時期の把握等）などを目視でき、出荷時や受け取り時に花の状態が一目瞭然となり、花の管理が容易となる。しかも、和紙のような不透明な包装紙に比べ、そのまま店頭陳列ができる。また柔軟性があるため、花の形状に追従でき、花を傷める心配も解消される。そして、複数の孔があるため花が十分呼吸でき、花をすっぽり包むこともができるため、搬送中の花の生育悪化と損傷等への心配が解消される。さらに、開口部があるため、取り付け取り外しが容易であり、簡単に花を包むことができ、熟練性の要求から解放される。また、ロール紙と異なり単体であるため、側面部に絵柄、花屋の名前やロゴマークを施すことが可能である。
【００１３】
本発明の第２の態様は、側面部の少なくとも一部に変形可能な保持部材が接合されていることを特徴とする第１の態様に記載の花用保護部材にある。
【００１４】
ここで「接合」とは、側面部表面に保持部材が接合されていることだけでなく、側面部の一部が保持部材で構成されていることを含む。
【００１５】
かかる第２の態様では、花用保護部材の強度を高めると共に、保持部材を花弁の裏側に配置することにより、花弁の向きを矯正することができる。
【００１６】
本発明の第３の態様は、プラスチック部材がポリエチレンからなることを特徴とする請求項１又は請求項２に記載の花用保護部材にある。
【００１７】
かかる第３の態様では、花に花用保護部材を被せたときの花への負担が軽減され、耐衝撃性も良好で有り、輸送中の花への負荷も低減され、蒸れることなく通気性が良好で有り、生育も優れており、かつ透明度も維持することができる。
【００１８】
本発明の第４の態様は、プラスチック部材の厚みが、０．０４ｍｍから０．０８ｍｍであることを特徴とする第１〜３の態様のいずれか１項に記載の花用保護部材にある。
【００１９】
かかる第４の態様では、花に花用保護部材を被せたときの花への負担がより軽減され、耐衝撃性もより良好で有り、輸送中の花への負荷もより低減され、蒸れることなく通気性が良好で有り、生育も優れており、かつ透明度も維持することができる。
【００２０】
本発明の第５の態様は、プラスチック部材の幅が、２４ｃｍ〜２７ｃｍであることを特徴とする第３又は第４の態様に記載の花用保護部材にある。
【００２１】
かかる第５の態様では、各種の花に適用ができる大きさであり、耐衝撃性もより良好で有り、かつ輸送中の花への負荷も低減することができる。
【００２２】
本発明の第６の態様は、孔の大きさが、０．６ｃｍ〜１．０ｃｍであることを特徴とする第３〜５の態様のいずれか１項に記載の花用保護部材にある。
【００２３】
かかる第６の態様では、耐衝撃性が良好で有り、輸送中の花への負荷も低減され、蒸れることなく通気性により優れており、かつ生育もより良好に保つことができる。
【００２４】
本発明に係る第７の態様は、孔の個数が、６個〜１０個であることを特徴とする第３〜６の態様のいずれか１項に記載の花用保護部材にある。
【００２５】
かかる第７の態様では、耐衝撃性が良好で有り、輸送中の花への負荷も低減され、蒸れることなく通気性により優れており、かつ生育もより良好に保つことができる。
【００２６】
本発明の第８の態様は、花は、ラン科植物であることを特徴とする第１〜７の態様のいずれか１項に記載の花用保護部材にある。
【００２７】
かかる第８の態様では、観賞用として優れており人気も高いため、上述した本発明の花用保護部材の特徴をより生かすことができる。
【００２８】
本発明の第９の態様は、ラン科植物が胡蝶蘭であることを特徴とする第８の態様に記載の花用保護部材にある。
【００２９】
かかる第９の態様では、胡蝶蘭は贈答品としての価値が高く、従来は和紙で包むことが主流であったが、花用保護部材を使用することで、不慣れな人でも容易に花を包むことが可能となり、胡蝶蘭の色具合、育成状態等も目視でき、ユーザーが安心して贈答品として選択することが可能になる。
【図面の簡単な説明】
【００３０】
【図１】図１は実施形態１に係る花用保護部材の一例を示す概略斜視図であり、（ａ）は載置時、（ｂ）は使用時の状態を示す。
【図２】図２は実施形態１に係る花用保護部材の他の一例を示す概略斜視図である。
【図３】図３は実施形態１に係る花用保護部材の使用例を示す概略模式図である。
【図４】図４は実施形態１に係る花用保護部材の材質及び厚さの相違による試験結果を示す表である。
【図５】図５（ａ）は図４の結果をまとめた表であり、図５（ｂ）は評価方法を示す表である。
【図６】図６は実施形態１に係る花用保護部材の材質にポリエチレンを採用し、幅、孔の大きさ及び個数の相違による試験結果を示す表である。
【図７】図７は実施形態２に係る花用保護部材の他の一例を示す概略斜視図である。
【発明を実施するための形態】
【００３１】
以下に添付図面を参照して、本発明に係る花用保護部材の実施形態を説明する。なお、本発明は、以下の実施形態に限定されるものではない。
（実施形態１）
【００３２】
図１に示すように、本実施形態に係る花用保護部材１は、ポリエチレン等の透明又は半透明の略円筒状のプラスチック製部材から成り、側面部２と２つの端部３を有し、側面部２の両面側（載置時）には複数の空気流通用の孔４が設けられ、端部３にはそれぞれ開放された開口部５が設けられている。
【００３３】
花用保護部材１は、透明又は半透明のプラスチック部材からなるが、このプラスチック部材は、包む花に対して、花の形状に合わせて変形することができ、花を傷めない屈曲性を備えた柔軟性のある部材となっている。そして、載置時は折りたたまれて略平坦な四角形状を成している（図１（ａ）参照）。また、花に取り付ける場合（使用時）は、開口部５を開くため略円筒形状を成す（図１（ｂ）参照）。
【００３４】
図２は、本実施形態の花用保護部材１の他の実施例である。図２に示すように、花用保護部材１のどちらかの側面に、変形可能なポリウレタンなどの保持部材１０が接合されている。この保持部材１０は、花用保護部材１で花を包んだ際に、花弁の裏側に配置され、花弁の向きを矯正することができるようになっている。保持部材１０の材質は、花用保護部材１と異なる材質で、花の重量に耐えうる材質のものであれば特に限定されないが、たとえばポリウレタン等が挙げられる。
【００３５】
図３は、本実施形態の花用保護部材１を用いて、花と花を支持する茎を包んだ状態を示す概略模式図である。図２に示す端部３に設けられた開口部５を開き、花２０と共に花を支持する茎を花用保護部材１で包むように被せればよい。極めて簡単に花２０を包むことができ、熟練性をあまり必要としない利点がある。包んだ後は、端部３をひも（ビニタイ）、クリップやリボン等の留め具２１でそれぞれ閉めればよい。本実施形態では、複数の花２０のうち、一部に花用保護部材１を被せた状態を示しているが、花２０全体でも良く、房毎に被せてもよい。
【００３６】
次に、図４〜図６を用いて、本実施形態の花用保護部材１の適切な材質（プラスチック部材）、大きさ、厚み、孔４の大きさ及び個数について説明する。
【００３７】
花用保護部材１の適切な材質を選定するため、花は胡蝶蘭を選び、花用保護部材１の材質を二軸延伸ポリプロピレン（以下「ＯＰ」という）、ポリプロピレン（以下「ＰＰ」という）及びポリエチレン（以下「ＰＥ」という）の３種類で、厚さを変えて各種の試験を行った。試験に用いた花用保護部材１の大きさは、長さ８００ｍｍで、厚みは０．０４ｍｍ〜０．１ｍｍである。また、材質にポリエチレンを使用して、幅２３ｃｍ〜２７ｃｍ、孔４の数は４個〜１２個での試験も行った。
【００３８】
試験項目は、負担（重さ）、耐久性（衝撃）、耐久性（輸送）、通気性、生育、透明度の６項目であり、各項目の内容は以下の通りである。
【００３９】
負担（重さ）：花用保護部材１を胡蝶蘭に被せた時の花のたれ具合を示す試験。ここで、「大変良い」とは、花がほとんど垂れていない状態を意味し、「重い」とは、花が垂れていることを意味する。
【００４０】
耐久性（衝撃）：花用保護部材１を胡蝶蘭に被せた状態で花に中指ではじくように叩き衝撃を与えた際の花の傷つき具合を示す試験。ここで、たとえば傷（１０〜３０％）とは、花の傷つき割合が、１０％以上、３０％未満であることを意味する。
【００４１】
耐久性(輸送）：花用保護部材１を胡蝶蘭に被せた状態で山梨から東京にトラックで輸送した際の花の擦れ具合を示す試験。ここで、たとえば擦れ（１０〜３０％）とは、花の擦れ割合が、１０％以上、３０％未満であることを意味する。
【００４２】
通気性：花用保護部材１を胡蝶蘭に被せた状態で山梨から東京にトラックで輸送した際の花の蒸れ具合を示す試験。ここで、「大変良い」とは、蒸れていない状態を示す。
【００４３】
生育：半分程度開花した状態の胡蝶蘭を使用し、花用保護部材１を被せた場合と、花用保護部材１を被せていない通常の胡蝶蘭との間で、成長スピードおよび開花状態を比較する試験。
【００４４】
透明度：花用保護部材１を被せた状態の花の写真と、花用保護部材１を被せていない状態の花の写真との間で、鮮明さや透明度を比較する試験。
評価は、図５（ｂ）の表に基づき、「◎」、「○」、「△」、「×」で行った。
【００４５】
図４及び図５（ａ）の表に示す通り、種々の厚みにおける試験の結果、花用保護部材１で、最もよい材質は、「◎」が多く、どの厚みにおいても安定しているポリエチレン（ＰＥ）であることが分かった。
【００４６】
また、図４の表のＰＥから、厚みは、０．０４ｍｍ〜０．０９ｍｍの範囲が好ましく、０．０５ｍｍ〜０．０８ｍｍの範囲がより好ましく、０．０６ｍｍが最適値であることが分かった。
【００４７】
次に、図６の表から、ポリエチレンの場合、幅は、２４ｃｍ〜２７ｃｍの範囲が好ましく、２５ｃｍ〜２６ｃｍの範囲がより好ましく、２５ｃｍが最適値であることが分かった。
【００４８】
また、孔４の大きさは０．６ｃｍ〜１．０ｃｍの範囲が好ましく、０．６ｃｍ〜０．８ｃｍの範囲がより好ましく、０．６ｃｍが最適値であることが分かった。さらに、孔４の個数は、長さが８００ｍｍに対して６個〜１０個の範囲が好ましく、８個〜１０個の範囲がより好ましく、８個が最適値であることが分かった。
【００４９】
また、各長さと孔４の個数との関係は、均等の距離に孔４をそれぞれ配置した場合に、長さ５００ｍｍと６００ｍｍでは６個、７００ｍｍと８００ｍｍでは８個、９００ｍｍと１０００ｍｍでは１０個が最適であることも分かった。
【００５０】
上述したように、本実施形態の花用保護部材１は、花２０を保護する花用保護部材１であって、透明又は半透明で柔軟性のあるプラスチック部材から成り、側面部２と端部３を有し、側面部２には複数の孔４が形成され、端部３の少なくとも一方側に開放された開口部５が設けられ、載置時は略平坦な四角形状であり、使用時は略円筒形状となるものである。
【００５１】
この花用保護部材１が透明又は半透明であることから、花２０の色、形、特徴、生育具合などを目視でき、出荷時や受け取り時に花の状態が一目瞭然となり、花２０の管理が容易となる。しかも、和紙のような不透明な包装紙に比べ、そのまま店頭陳列ができる（和紙の場合には、店頭陳列の際に花から包装紙を取り外す必要がある）。また柔軟性があるため、花２０の形状に追従でき、花２０を傷める心配も解消される。そして、複数の孔４があるため花２０が十分呼吸でき、かつ花２０をすっぽり包むこともできる。その結果、搬送中の花２０の生育悪化と損傷等への心配が解消される。
【００５２】
さらに、開口部５があるため、取り付けおよび取り外しが容易であり、簡単に花２０を包むことができ、熟練性の要求から解放される。また、ロール紙と異なり単体であるため、側面部２に絵柄、花屋の名前やロゴマークを施すことが可能である。
【００５３】
また、本実施形態の花用保護部材１は、側面部２の少なくとも一部に変形可能な保持部材１０が接合されているので、花用保護部材１で花２０を包んだ際に、花２０の裏側に保持部材１０が配置されて、花２０の向きを矯正することができる。
【００５４】
さらに、従来使用していた包装用和紙は、使用された後廃棄されていたが、本実施形態の花用保護部材１は、丈夫で傷つきにくいことから、再利用することができるので環境にも優しいものである。
（実施形態２）
【００５５】
実施形態１では、花用保護部材のどちらかの側面部に変形可能なポリウレタンなどの保持部材を接合するようにしたが、本発明はこれに限定されない。
【００５６】
たとえば、図７に示すように、花に取り付けた際に花の裏側に位置することになる側面部２の一部をポリウレタンなどの保持部材１０で構成（接合）してもよい。なお、この場合、保持部材１０に孔を形成しなくてもよいが、複数の孔を形成した方が通気性を向上させることができる。
【００５７】
このように花用保護部材１Ａを構成しても、実施形態１の保持部材を接合した花用保護部材と同様の効果が得られる。
（実施形態３）
【００５８】
実施形態１では、花用保護部材の形状を、載置時は折りたたまれて略平坦な四角形状となり、使用時には略円筒状になるように構成したが、本発明に係る花用保護部材の形状はこれに限定されない。たとえば、花用保護部材の形状を、載置時は折りたたまれて略平坦な台形形状となり、使用時には、一方の端部に向かうに連れて径が大きくなるような略ラッパ状となるようにしてもよい。
【００５９】
このような形状とすることにより、実施形態１に係る花用保護部材と比較して、花用保護部材をより容易に花に取り付けることができる。
（実施形態４）
【００６０】
実施形態１では、花用保護部材の両端部を、ひも（ビニタイ）、クリップやリボン等の留め具で閉めるようにしたが、本発明はこれに限定されない。たとえば、花に取り付けた際に、下側に位置する端部を留め具等で閉めないようにしてもよい。このようにしても、実施形態１の花用保護部材と同様の効果が得られる。
（他の実施形態）
【００６１】
実施形態１では、２つの側面部（図１（ａ）の表・裏）のそれぞれに複数の孔を設けるようにしたが、本発明はこれに限定されず、一方の側面部のみに孔が複数設けられるようにしてもよいし、側面部の一部にのみ孔が複数設けられるようにしてもよい。このように花用保護部材を構成しても、２つの側面部のそれぞれに複数の孔を設けた場合と比較して通気性は悪くなるが、実施形態１の花用保護部材と同様の効果が得られる。
【００６２】
また、花用保護部材の一方の端部が閉じられた袋状にしてもよい。このように花用保護部材を構成しても、実施形態１の花用保護部材と同様の効果が得られる。
【００６３】
なお、本発明は、上述した実施形態に限定されるものではなく、適宜、変形、改良等が可能である。その他、上述した実施形態における各構成要素の材質、形状、寸法、数値、形態、孔の数、および孔の配置箇所等は本発明を達成できるものであれば任意であり、特に限定されない。
【産業上の利用可能性】
【００６４】
本発明の花用保護部材は、容易に花を包み込むことができ、花を傷、擦れ等から防止し、生育の良好を要求する分野に好適に用いられる。
【符号の説明】
【００６５】
１、１Ａ  花用保護部材
２  側面部
３  端部
４  孔
５  開口部
１０  保持部材
２０  花
２１  留め具
【図１】
2018113864.tif 000003
【図２】
2018113864.tif 000004
【図３】
2018113864.tif 000005
【図４】
2018113864.tif 000006
【図５】
2018113864.tif 000007
【図６】
2018113864.tif 000008
【図７】
2018113864.tif 000009